(57)【要約】【課題】開封した時から取り付けられたＩＣタグが通信を開始し、再封したら通信を行わず、これにより開封時刻と再封時刻がわかりや開封していた時間を知ることのできる包装箱を提供する。【解決手段】包装箱１００が、上面板１１１と底面板１１２と左側周壁板１１３と右側周壁板１１４とからなる筒状部と、筒状部の一方の開口部を閉じる背面周壁板１１５とからなる外装部材１１０と、閉じられていない開口部に出し入れ自在に外装部材内に収められ、底面板１２１と正面周壁板１２２と背面周壁板１２３と左周壁板１２４と右周壁板１２５とで囲まれた内容物収納部を有する内装部材１２０からなり、外装部材と内装部が重なり合って対向する左側周壁板に導電性物質１を設け、左周壁板にＩＣタグ２を取り付けてＩＣタグと導電性物質を接触または近接させ、開封するとＩＣタグと導電性物質が離れ、再封すると重なり合って、ＩＣタグと導電性物質が接触または近接する。【選択図】図１
2015101391.tif 000002
【特許請求の範囲】
【請求項１】
２枚重ねになっている構造材の一方にＩＣタグを取り付け、他方に導電性物質を設けて、ＩＣタグと導電性物質を接触または近接させ、開封すると前記ＩＣタグと前記導電性物質が離れ、再封すると前記ＩＣタグと前記導電性物質が接触または近接することを特徴とする包装箱。
【請求項２】
筒状または一方の開口部が閉じられた筒状の外装部材と、閉じられていない開口部より出し入れ自在に外装部材内に収められ、内容物収納部を有する内装部材とからなり、前記外装部材と前記内装部材が重なり合って対向する箇所の一方にＩＣタグを取り付け、他方に導電性物質を設けたことを特徴とする包装箱。
【請求項３】
内容物収納部を有し上部が開放された箱本体と、該箱本体に被蓋される蓋体とからなり、箱本体の周壁部と蓋体の蓋周壁部が重なり合って対向する箇所の一方にＩＣタグを取り付け、他方に導電性物質を設けたことを特徴とする包装箱。
【請求項４】
内容物収納部を有し上部が開放された箱本体と、該箱本体の周壁部の内の背面周壁板の上端にヒンジを介して接続した蓋部からなり、該蓋部には正面蓋周壁板と左右の側面蓋周壁板からなる蓋周壁部が設けられ、箱本体の周壁板と蓋体の蓋周壁部が重なり合って対向する箇所の一方にＩＣタグを取り付け、他方に導電性物質を設けたことを特徴とする包装箱。
【請求項５】
角筒状の周壁部の上端に、対向する正面フラップと背面フラップを有し、あるいは、更に対向する２枚の側部内フラップを有し、重なり合ういずれか２枚のフラップの一方にＩＣタグを取り付け、他方に導電性物質を設けたことを特徴とする包装箱。
【請求項６】
角筒状の周壁部の左右の周壁板の上端に左右の側部内フラップを有し、正面周壁板の上端に、背面周壁板まで延び、先端に差し込み片を連設した天面板を有し、背面周壁板には、その上端を上方に延ばした延設部と、該延設部の先端が折り返されて形成した折返し部を有し、該折返し部の先端部が前記背面周壁板に沿って差し込まれ、左右いずれかの前記側部内フラップと前記天面板の一方にＩＣタグを取り付け、他方に導電性物質を設けたことを特徴とする包装箱。
【請求項７】
角筒状の周壁部の正面周壁板の上端に、先端に差し込み片を延設した背面周壁板まで延びる天面板を有し、背面周壁板には、その上端を上方に延ばした延設部と、該延設部の先端が折り返されて形成した折返し部を有し、該折返し部の先端部が前記背面周壁板に沿って差し込まれ、前記差し込み片と前記折返し部の先端部の一方にＩＣタグを取り付け、他方に導電性物質を設けたことを特徴とする包装箱。
【請求項８】
正面周壁板と背面周壁板と左右の周壁板からなる角筒状の周壁部を有し、前記背面周壁板の上端に天面板と正面貼着板を延設し、該正面貼着板を前記正面周壁板に貼着され、正面貼着板を正面周壁板より剥がして開封するようになっていて、該正面貼着板と正面周壁板の一方にＩＣタグを取り付け、他方に導電性物質を設けたことを特徴とする包装箱。
【請求項９】
正面周壁板と背面周壁板と左右の周壁板からなる角筒状の周壁部を有し、前記正面周壁板の上端に正面天面板と正面持ち手部を連設し、前記背面周壁板の上端に背面天面板と背面持ち手部を連設し、前記正面天面板と前記背面天面板を内側に倒し、前記正面持ち手部と前記背面持ち手部が折り返され重ね合わせて垂直に立ち上げられていて、前記正面持ち手部と前記背面持ち手部の一方にＩＣタグを取り付け、他方に導電性物質を設けたことを特徴とする包装箱。
【請求項１０】
正面周壁板と背面周壁板と左右の周壁板からなる角筒状の周壁部を有し、前記背面周壁板の上端に天面板と差込片が順次延設され、該差込片を前記正面周壁板の内側に沿って差し込み、閉じられていて、該差込片と正面周壁板の一方にＩＣタグを取り付け、他方に導電性物質を設けたことを特徴とする包装箱。
【発明の詳細な説明】
【技術分野】
【０００１】
本発明は、包装箱に関するものである。特に、ＩＣタグを備え、開封したことを検知できるようにした包装箱に関するものである。
【背景技術】
【０００２】
近年、ＩＣチップの集積回路化により小型化が進み、ＩＣチップとアンテナを組み合わせ小片としたＩＣタグが商品に取り付けられるようになった。そしてＩＣタグにより、その商品の管理や、あるいは偽造防止、いたずら防止などに利用されるようになってきた。また、工場においてもトレーサビリティの観点から、製品や中間製品、それに用いる部品、原材料の履歴を確認するのに用いられるようになり始めた。
【０００３】
例えば、いたずら防止としては、包装箱が開封されるとＩＣタグのアンテナが切断されるように、商品に取り付けられているものがある（特許文献１）。
【０００４】
この場合、梱包された状態で運送され、もし運搬の途中で不正に開梱されてしまったとき、開梱によりアンテナが切断され、通信不能となったり、通信距離が半分以下になったりするので、運送後に開梱されたことを確認できる。
【０００５】
一方、未開封の商品などが、開封されていた時刻やその場所を記録することが必要な場合がある。そのため、開封して収納されたものを使用したとき、また、残った内容物をそのまま再封したときの各時刻などを記録する必要がある。
【０００６】
例えば、酸化により性能が大きく影響される物品では、開封され大気中に晒されて酸化が開始された後の酸化が進んだ時間を管理する必要がある。また、放射線などの人体に悪影響を与える物品の開封された時間なども管理する必要がある。
【０００７】
特に工場などで製品を製造する上で、原材料の使用を管理する場合、未開封の原材料の包装箱ではＩＣチップが通信を開始せず、原材料の包装箱を開封したとき、および、再封したときの時間や開封した場所を管理するために、開封している間だけＩＣチップが通信行うことが求められる。
【０００８】
一方、別の周波数帯を通信可能な少なくとも２つのアンテナを有するＲＦＩＤタグを備え、アンテナの１つが容器の開封とともに通信不能に切断され、開梱されたことが確認できる構成とした包装容器がある（特許文献２）。
【０００９】
そして、切断されずに残されたアンテナで商品管理ができることから、未開封のものを開封した時間を管理できる可能性はある。しかし、このＲＦＩＤタグの場合、再封したことについては検知することが難しい。また、アンテナを２つ設ける必要があり、更に、開封することによって一方が通信不能になるが、他方は通信が不能にならない必要があるなど、構造が複雑で、サイズも大きくなり、コスト的にも使用が限定される。
【００１０】
公知文献を以下に示す。
【先行技術文献】
【特許文献】
【００１１】
【特許文献１】特開２００９−１０４２６２号公報
【特許文献２】特許第４５１０１３３号公報
【発明の概要】
【発明が解決しようとする課題】
【００１２】
本発明は上記のような事情に鑑みてなされたもので、開封した時から取り付けられたＩＣタグが通信を開始し、再封したら通信を行わず、これにより開封時刻と再封時刻がわかりや開封していた時間を知ることのできる包装箱を提供することを課題としている。
【課題を解決するための手段】
【００１３】
本発明は係る課題に鑑みなされたものであり、請求項１の発明は、２枚重ねになっている構造材の一方にＩＣタグを取り付け、他方に導電性物質を設けて、ＩＣタグと導電性物質を接触または近接させ、開封すると前記ＩＣタグと前記導電性物質が離れ、再封すると前記ＩＣタグと前記導電性物質が接触または近接することを特徴とする包装箱である。
【００１４】
本発明の請求項２の発明は、筒状または一方の開口部が閉じられた筒状の外装部材と、閉じられていない開口部より出し入れ自在に外装部材内に収められ、内容物収納部を有する内装部材とからなり、前記外装部材と前記内装部材が重なり合って対向する箇所の一方にＩＣタグを取り付け、他方に導電性物質を設けたことを特徴とする包装箱である。
【００１５】
本発明の請求項３の発明は、内容物収納部を有し上部が開放された箱本体と、該箱本体に被蓋される蓋体とからなり、箱本体の周壁部と蓋体の蓋周壁部が重なり合って対向する箇所の一方にＩＣタグを取り付け、他方に導電性物質を設けたことを特徴とする包装箱である。
【００１６】
本発明の請求項４の発明は、内容物収納部を有し上部が開放された箱本体と、該箱本体の周壁部の内の背面周壁板の上端にヒンジを介して接続した蓋部からなり、該蓋部には正面蓋周壁板と左右の側面蓋周壁板からなる蓋周壁部が設けられ、箱本体の周壁板と蓋体の蓋周壁部が重なり合って対向する箇所の一方にＩＣタグを取り付け、他方に導電性物質を設けたことを特徴とする包装箱である。
【００１７】
本発明の請求項５の発明は、角筒状の周壁部の上端に、対向する正面フラップと背面フラップを有し、あるいは、更に対向する２枚の側部内フラップを有し、重なり合ういずれか２枚のフラップの一方にＩＣタグを取り付け、他方に導電性物質を設けたことを特徴とする包装箱である。
【００１８】
本発明の請求項６の発明は、角筒状の周壁部の左右の周壁板の上端に左右の側部内フラップを有し、正面周壁板の上端に、背面周壁板まで延び、先端に差し込み片を連設した天面板を有し、背面周壁板には、その上端を上方に延ばした延設部と、該延設部の先端が折り返されて形成した折返し部を有し、該折返し部の先端部が前記背面周壁板に沿って差し込まれ、左右いずれかの前記側部内フラップと前記天面板の一方にＩＣタグを取り付け、他方に導電性物質を設けたことを特徴とする包装箱である。
【００１９】
本発明の請求項７の発明は、角筒状の周壁部の正面周壁板の上端に、先端に差し込み片を延設した背面周壁板まで延びる天面板を有し、背面周壁板には、その上端を上方に延ばした延設部と、該延設部の先端が折り返されて形成した折返し部を有し、該折返し部の先端部が前記背面周壁板に沿って差し込まれ、前記差し込み片と前記折返し部の先端部の一方にＩＣタグを取り付け、他方に導電性物質を設けたことを特徴とする包装箱である。
【００２０】
本発明の請求項８の発明は、正面周壁板と背面周壁板と左右の周壁板からなる角筒状の周壁部を有し、前記背面周壁板の上端に天面板と正面貼着板を延設し、該正面貼着板を前記正面周壁板に貼着され、正面貼着板を正面周壁板より剥がして開封するようになってい
て、該正面貼着板と正面周壁板の一方にＩＣタグを取り付け、他方に導電性物質を設けたことを特徴とする包装箱である。
【００２１】
本発明の請求項９の発明は、正面周壁板と背面周壁板と左右の周壁板からなる角筒状の周壁部を有し、前記正面周壁板の上端に正面天面板と正面持ち手部を連設し、前記背面周壁板の上端に背面天面板と背面持ち手部を連設し、前記正面天面板と前記背面天面板を内側に倒し、前記正面持ち手部と前記背面持ち手部が折り返され重ね合わせて垂直に立ち上げられていて、前記正面持ち手部と前記背面持ち手部の一方にＩＣタグを取り付け、他方に導電性物質を設けたことを特徴とする包装箱である。
【００２２】
本発明の請求項１０の発明は、正面周壁板と背面周壁板と左右の周壁板からなる角筒状の周壁部を有し、前記背面周壁板の上端に天面板と差込片が順次延設され、該差込片を前記正面周壁板の内側に沿って差し込み、閉じられていて、該差込片と正面周壁板の一方にＩＣタグを取り付け、他方に導電性物質を設けたことを特徴とする包装箱である。
【発明の効果】
【００２３】
本発明の包装箱は、開封した時から取り付けられたＩＣタグが通信を開始し、再封したら通信を行わないので、これにより開封時刻と再封時刻がわかりや開封していた時間を知ることができる。
【図面の簡単な説明】
【００２４】
【図１】本発明の包装箱の第１の実施形態の外装部材と内装部材を模式的に斜視で示した説明図である。
【図２】本発明の包装箱の第１の実施形態の閉じた状態を模式的に斜視で示した説明図である。
【図３】本発明の包装箱の第１の実施形態の開いた状態を模式的に斜視で示した説明図である。
【図４】本発明の包装箱の第２の実施形態の箱本体と蓋体を模式的に斜視で示した説明図である。
【図５】本発明の包装箱の第２の実施形態の閉じた状態を模式的に斜視で示した説明図である。
【図６】本発明の包装箱の第３の実施形態の開いた状態を模式的に斜視で示した説明図である。
【図７】本発明の包装箱の第３の実施形態の閉じた状態を模式的に斜視で示した説明図である。
【図８】本発明の包装箱の第４の実施形態の開いた状態を模式的に斜視で示した説明図である。
【図９】（ａ）本発明の包装箱の第４の実施形態の閉じた状態を模式的に断面で示した説明図である。（ｂ）（ａ）の部分Ｘの拡大図である。
【図１０】本発明の包装箱の第５の実施形態の開いた状態を模式的に斜視で示した説明図である。
【図１１】（ａ）、（ｂ）本発明の包装箱の第５の実施形態の導電性物質とＩＣタグの取り付け位置を断面で示した説明図である。
【図１２】本発明の包装箱の第６の実施形態の開いた状態を模式的に斜視で示した説明図である。
【図１３】本発明の包装箱の第６の実施形態の閉じた状態を模式的に斜視で示した説明図である。
【図１４】本発明の包装箱の第７の実施形態の開いた状態を模式的に斜視で示した説明図である。
【図１５】本発明の包装箱の第７の実施形態の開いた状態を模式的に側面で示した説明図である。
【図１６】本発明の包装箱の第７の実施形態の閉じた状態を模式的に斜視で示した説明図である。
【図１７】本発明の包装箱の第７の実施形態の閉じた状態を模式的に断面で示した説明図である。
【図１８】本発明の包装箱の第８の実施形態の開いた状態を模式的に斜視で示した説明図である。
【図１９】本発明の包装箱の第８の実施形態の閉じた状態を模式的に斜視で示した説明図である。
【発明を実施するための形態】
【００２５】
＜第１の実施形態＞
以下、本発明を実施するための第１の実施形態につき説明する。
図１は、本発明の包装箱の第１の実施形態の外装部材と内装部材を模式的に斜視で示した説明図、図２は、本発明の包装箱の第１の実施形態の閉じた状態を模式的に斜視で示した説明図、図３は、本発明の包装箱の第１の実施形態の開いた状態を模式的に斜視で示した説明図である。
【００２６】
本実施形態の包装箱１００は、板紙などの構造材からなり、罫押しと同時に打ち抜かれたブランクを製函して作られている。また、ブランクを作成の前、あるいは、作成後にＩＣタグや導電性物質を設けている。
【００２７】
包装箱１００は、図１のように、外装部材１１０と内装部材１２０からなっている。外装部材１１０は、上面板１１１と下面板１１２と左側周壁板１１３と右側周壁板１１４とからなる筒状部と、筒状部の一方の開口部を閉じる背側周壁板１１５とからなっている。
【００２８】
内装部材１２０は、方形の底面板１２１と、底面板１２１の周端部から垂直に上方へ向かう周壁部からなり、周壁部は正面周壁板１２２と背面周壁板１２３と左周壁板１２４と右周壁板１２５とからなり、内容物収納部が底面板１２１と正面周壁板１２２と背面周壁板１２３と左周壁板１２４と右周壁板１２５とで囲まれて形成されている。
【００２９】
外装部材１１０の左側周壁板１１３の外面には導電性物質１が設けられ、内装部材１２０の左周壁板１２４の内面には、ＩＣタグ２が設けられている。
【００３０】
導電性物質１には、金属箔や金属インキなどを用いることが出来る。金属箔としてはアルミニウム箔などを用いて、片面に接着剤（粘着剤を含む）を設けておいて、接着して設けるようにしても良い。金属インキとしては、例えばアルミペーストインキを用いて、塗布して設けるようにしても良い。
【００３１】
ＩＣタグ２は、詳細を図示しないが、一般的なものであり、ベース基材上に１つのアンテナとＩＣチップが電気的に接続されて設けられたインレットを有している。そして、リーダライタから発射される電波を受信し、微量な電力を発生させ、その電力で情報処理を行い、電波を送信するものである。そして、リーダライタはこの電波を読み取ってＩＣタグ２の情報を得ることができる。
【００３２】
外装部材１１０の開口部より内装部材１２０を差し込み、図２のように、包装箱１００を閉じると、外装部材１１０の左側周壁板１１３の導電性物質１と、内装部材１２０の左周壁板１２４のＩＣタグ２とが重なり合わされ、ＩＣタグ２と導電性物質１が接触または近接する。
【００３３】
このように、導電性物質１とＩＣタグ２が接触あるいは近接していると、リーダライタからの電波の受信性能が著しく低下し、電力が発生せずＩＣチップの情報処理が行われない。
【００３４】
本実施形態の包装箱１００では、以上のように閉じた状態では、ＩＣタグ２はリーダライタから発射される電波を受信することができないので、交信が行われない。そして、図３のように、内容物を取り出すために、外装部材１１０の中から内装部材１２０を引き出すと、重なっていた導電性物質１とＩＣタグ２が離れる。
【００３５】
導電性物質１とＩＣタグ２とが離れると、リーダライタからの電波を受信してＩＣタグ２が通信を開始するようになり、リーダライタとの交信を行う。そして、図２のように、包装箱１００を閉じると、外装部材１１０の左側周壁板１１３の導電性物質１と、内装部材１２０の左周壁板１２４のＩＣタグ２とが重なり合わされ、ＩＣタグ２と導電性物質１が接触または近接する。
【００３６】
このように閉じた状態では、ＩＣタグ２はリーダライタから発射される電波を受信することができないので、交信が行われない。このように、本実施形態の包装箱１００は、閉めた状態ではリーダライタとの交信が行われず、包装箱１００は、開けた状態ではリーダライタとの交信が行われる。
【００３７】
本実施形態の包装箱１００の使い方としては、工場で製品を製造するのに用いる原材料などを包装しておくのに用いることが出来る。工場に納入された包装箱１００を必要に応じて、開封して原材料を使用する。
【００３８】
この開封によって、包装箱１００のＩＣタグ２は、リーダライタからの電波を受信できるようになる。そして、ＩＣタグ２は、受信した電波により電力が発生して、情報処理が行われ、リーダライタに電波を発信させる。
【００３９】
このとき、リーダライタ側の管理コンピュータの持つ日時の情報から開封した日時が特定される。また、複数のリーダライタが、ＩＣタグ２からの送信を受けたり、受けなかったりすることから、そのＩＣタグ２の存在位置の範囲を特定することができる。
【００４０】
この包装箱１００を閉じると、包装箱１００のＩＣタグ２は、リーダライタからの電波を受信できなくなる。そして、ＩＣタグ２は情報処理行うことなく、リーダライタへ電波を発信させることも無くなる。
【００４１】
このとき、リーダライタ側の管理コンピュータの持つ日時の情報から、開け閉めした時刻や開かれていた時間が特定される。また、複数のリーダライタが、ＩＣタグ２からの送信を受けたり、受けなかったりすることから、そのＩＣタグ２の存在位置の範囲を特定することができる。
【００４２】
これらの情報は、リーダライタと有線であるいは無線で接続された管理コンピュータに保存される。また、これらの情報を、包装箱１００のＩＣタグ２のＩＣチップに保存することもできる。ＩＣチップに保存すれば管理コンピュータに接続されていないリーダライタでもこの情報を読み取ることができる。
【００４３】
以上のように、本実施形態の包装箱１００は、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【００４４】
そして、これにより収納されていた、酸化により性能が大きく影響される物品や、人体に悪影響を与える物品などが開封され、影響を受けたり、与えたりした時刻とその時間、また、場所を知ることができ、管理することができる。
【００４５】
尚、本実施形態では、外装部材１１０の左側周壁板１１３に導電性物質１と、内装部材１２０の左周壁板１２４にＩＣタグ２を設けたが、逆にしてもかまわない。また、外装部材１１０の他の面板１１１、１１２、１１４や背側周壁板１１５と、これの閉じた状態で重ねあわされ、開いた状態で離れる内装部材１２０の底面板１２１や正面周壁板１２２、背面周壁板１２３、右周壁板１２５のいずれかの組み合わせに、導電性物質１とＩＣタグ２を設けても良い。
【００４６】
＜第２の実施形態＞
以下、本発明を実施するための第２の実施形態につき説明する。
図４は、本発明の包装箱の第２の実施形態の箱本体と蓋体を模式的に斜視で示した説明図、図５は、本発明の包装箱の第２の実施形態の閉じた状態を模式的に斜視で示した説明図である。
【００４７】
第２の実施形態の包装箱２００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【００４８】
包装箱２００は、図４のように、箱本体２１０と、蓋体２２０とからなっている。箱本体２１０は、方形の底面板２１１と底面板２１１の周端部から垂直に上方へ向かう周壁部とからなり、周壁部は正面周壁板２１２と背面周壁板２１３と左周壁板２１４と右周壁板２１５とからなり、内容物収納部が底面板２１１と周壁部２１２、２１３、２１４、２１５とで囲まれて形成されている。
【００４９】
蓋体２２０は、上面板２２１と、上面板２２１の周端部から垂下する蓋周壁部からなり、被せ蓋になっている。蓋周壁部は、正面蓋周壁板２２２と背面蓋周壁板２２３と左側蓋周壁板２２４と右側蓋周壁板２２５とからなっている。
【００５０】
そして、箱本体２１０の右周壁板２１５に導電性物質１が設けられ、蓋体２２０の右側蓋周壁板２２５にＩＣタグ２が設けられている。導電性物質１とＩＣタグ２は、第１の実施形態の包装箱１００と同様なものが使用できる。
【００５１】
蓋体２２０の蓋周壁部が、箱本体２１０の周壁部を囲むように、上から被せ、図５のように、包装箱２００を閉じると、箱本体２１０の右周壁板２１５に設けた導電性物質１と、蓋体２２０の右側蓋周壁板２２５に設けたＩＣタグ２が重なり合わされ、ＩＣタグ２と導電性物質１が接触または近接する。
【００５２】
このように、導電性物質１とＩＣタグ２が接触あるいは近接していると、リーダライタからの電波の受信性能が著しく低下し、電力が発生せずＩＣチップの情報処理が行われない。
【００５３】
本実施形態の包装箱２００では、以上のように閉じた状態では、ＩＣタグ２はリーダライタから発射される電波を受信することができないので、交信が行われない。そして、図４のように、内容物を取り出すために、箱本体２１０から蓋体２２０を外すと、重なっていた導電性物質１とＩＣタグ２が離れる。
【００５４】
導電性物質１とＩＣタグ２とが離れると、リーダライタからの電波を受信してＩＣタグ２が通信を開始するようになり、リーダライタとの交信を行う。そして、図５のように、包装箱２００を閉じると、箱本体２１０の右周壁板２１５に設けた導電性物質１と蓋体２２０の右側蓋周壁板２２５に設けたＩＣタグ２が重なり合わされ、ＩＣタグ２と導電性物質１が接触または近接する。
【００５５】
このように閉じた状態では、ＩＣタグ２はリーダライタから発射される電波を受信することができないので、交信が行われない。このように、本実施形態の包装箱２００は、閉めた状態ではリーダライタとの交信が行われず、包装箱２００は、開けた状態ではリーダライタとの交信が行われる。
【００５６】
本実施形態の包装箱２００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【００５７】
これにより収納されていた、酸化により性能が大きく影響される物品や、人体に悪影響を与える物品などが開封され、影響を受けたり、与えたりした時刻とその時間、また、場所を知ることができ、管理することができる。
【００５８】
尚、本実施形態では、右周壁板２１５に導電性物質１を、右側蓋周壁板２２５にＩＣタグ２を設けたが、逆にしてもかまわない。また、閉じた状態で重なり合う、他の周壁板と他の蓋周壁板のいずれか一方に導電性物質１を他方にＩＣタグ２を設けても良い。
【００５９】
＜第３の実施形態＞
以下、本発明を実施するための第３の実施形態につき説明する。
図６は、本発明の包装箱の第３の実施形態の開いた状態を模式的に斜視で示した説明図、図７は、本発明の包装箱の第３の実施形態の閉じた状態を模式的に斜視で示した説明図である。
【００６０】
第３の実施形態の包装箱３００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【００６１】
包装箱３００は、図６のように、箱本体３１０と、蓋部３２０がヒンジ３３０を介して接続している。箱本体３１０は、方形の底面板３１１と底面板３１１の周端部から垂直に上方へ向かう周壁部とからなり、周壁部は正面周壁板３１２と背面周壁板３１３と左周壁板３１４と右周壁板３１５とからなり、内容物収納部が底面板３１１と、周壁部の正面周壁板３１２と背面周壁板３１３と左周壁板３１４と右周壁板３１５とで囲まれて形成されている。
【００６２】
蓋部３２０は、上面板３２１が箱本体３１０の背面周壁板３１３の上端にヒンジ３３０を介して設けられ、上面板３２１の背面以外の周端部から垂下する蓋周壁部からなっている。蓋周壁部は、正面蓋周壁板３２２と左側蓋周壁板３２３と右側蓋周壁板３２４とからなっている。
【００６３】
そして、箱本体３１０の右周壁板３１５に導電性物質１が設けられ、蓋部３２０の右側蓋周壁板３２４にＩＣタグ２が設けられている。導電性物質１とＩＣタグ２は、第１の実施形態の包装箱１００と同様なものが使用できる。
【００６４】
蓋部３２０をヒンジ３３０で内方に倒して、図７のように、箱本体３１０に被せて閉じると、蓋部３２０の蓋周壁部が箱本体３１０の周壁部の外側に重なる。このため、蓋部３２０の右側蓋周壁板３２４のＩＣタグ２が、箱本体３１０の右周壁板３１５の導電性物質１が重なり合わされ、ＩＣタグ２と導電性物質１が接触または近接する。
【００６５】
このように、導電性物質１とＩＣタグ２が接触あるいは近接していると、リーダライタからの電波の受信性能が著しく低下し、電力が発生せずＩＣチップの情報処理が行われない。
【００６６】
本実施形態の包装箱３００では、以上のように閉じた状態では、ＩＣタグ２はリーダライタから発射される電波を受信することができないので、交信が行われない。そして、図６のように、内容物を取り出すために、箱本体３１０から蓋部３２０を外して開くと、重なっていた導電性物質１とＩＣタグ２が離れる。
【００６７】
導電性物質１とＩＣタグ２とが離れると、リーダライタからの電波を受信してＩＣタグ２が通信を開始するようになり、リーダライタとの交信を行う。そして、図６のように、包装箱３００を閉じると、箱本体３１０の右周壁板３１５に設けた導電性物質１と、蓋部３２０の右側蓋周壁板３２４に設けたＩＣタグ２が重なり合わされ、ＩＣタグ２と導電性物質１が接触または近接する。
【００６８】
このように閉じた状態では、ＩＣタグ２はリーダライタから発射される電波を受信することができないので、交信が行われない。このように、本実施形態の包装箱３００は、閉めた状態ではリーダライタとの交信が行われず、包装箱３００は、開けた状態ではリーダライタとの交信が行われる。
【００６９】
本実施形態の包装箱３００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【００７０】
これにより収納されていた、酸化により性能が大きく影響される物品や、人体に悪影響を与える物品などが開封され、影響を受けたり、与えたりした時刻とその時間、また、場所を知ることができ、管理することができる。
【００７１】
尚、本実施形態では、箱本体３１０の右周壁板３１５に導電性物質１を、蓋部３２０の右側蓋周壁板３２４にＩＣタグ２を設けたが、逆にしてもかまわない。また、閉じた状態で重なり合う、正面周壁板３１２と正面蓋周壁板３２２、あるいは、左周壁板３１４と左側蓋周壁板３２３のいずれか一方に導電性物質１を他方にＩＣタグ２を設けても良い。
【００７２】
＜第４の実施形態＞
以下、本発明を実施するための第４の実施形態につき説明する。
図８は、本発明の包装箱の第４の実施形態の開いた状態を模式的に斜視で示した説明図、図９（ａ）は、本発明の包装箱の第４の実施形態の閉じた状態を模式的に斜視で示した説明図である。図９（ｂ）は、（ａ）の部分Ｘの拡大図である。
【００７３】
第４の実施形態の包装箱４００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【００７４】
包装箱４００は、図８のように、正面周壁板４０１、背面周壁板４０２、左側周壁板４０３、右側周壁板４０４からなる角筒状の周壁部の上端に、対向する正面フラップ４０５と背面フラップ４０６、および、対向する左側部内フラップ４０７と右側部内フラップ４０８を有している。
【００７５】
包装箱４００を閉じると、左側部内フラップ４０７と右側部内フラップ４０８が内側に倒されて、更にその上に、正面フラップ４０５、続いて、背面フラップ４０６が倒されて、図９のように、正面フラップ４０５と背面フラップ４０６は、重なり部を有している。
【００７６】
そして、背面フラップ４０６に導電性物質１が設けられ、正面フラップ４０５にＩＣタグ２が設けられ、導電性物質１とＩＣタグ２が設けられ、ＩＣタグ２と導電性物質１が接触または近接している。導電性物質１とＩＣタグ２は、第１の実施形態の包装箱１００と同様なものが使用できる。
【００７７】
このように、導電性物質１とＩＣタグ２が接触あるいは近接していると、リーダライタからの電波の受信性能が著しく低下し、電力が発生せずＩＣチップの情報処理が行われない。
【００７８】
本実施形態の包装箱４００では、以上のように閉じた状態では、ＩＣタグ２はリーダライタから発射される電波を受信することができないので、交信が行われない。そして、図８のように、内容物を取り出すために、背面フラップ４０６と正面フラップ４０５を外側に折って開くと、重なっていた導電性物質１とＩＣタグ２が離れる。
【００７９】
導電性物質１とＩＣタグ２とが離れると、リーダライタからの電波を受信してＩＣタグ２が通信を開始するようになり、リーダライタとの交信を行う。そして、図９のように、包装箱４００を閉じると、背面フラップ４０６の導電性物質１と、正面フラップ４０５のＩＣタグ２が重なり合わされ、ＩＣタグ２と導電性物質１が接触または近接する。
【００８０】
このように閉じた状態では、ＩＣタグ２はリーダライタから発射される電波を受信することができないので、交信が行われない。このように、本実施形態の包装箱４００は、閉めた状態ではリーダライタとの交信が行われず、包装箱４００は、開けた状態ではリーダライタとの交信が行われる。
【００８１】
本実施形態の包装箱４００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【００８２】
これにより収納されていた、酸化により性能が大きく影響される物品や、人体に悪影響を与える物品などが開封され、影響を受けたり、与えたりした時刻とその時間、また、場所を知ることができ、管理することができる。
【００８３】
尚、本実施形態では、背面フラップ４０６に導電性物質１を、正面フラップ４０５にＩＣタグ２を設けたが、逆にしてもかまわない。また、閉じた状態で重なり合う、正面フラップ４０５、背面フラップ４０６、左側部内フラップ４０７、右側部内フラップ４０８の他の組み合わせのいずれか一方に導電性物質１を他方にＩＣタグ２を設けても良い。
【００８４】
＜第５の実施形態＞
以下、本発明を実施するための第５の実施形態につき説明する。
図１０は、本発明の包装箱の第５の実施形態の開いた状態を模式的に斜視で示した説明図、図１１（ａ）、（ｂ）は、本発明の包装箱の第５の実施形態の導電性物質とＩＣタグの取り付け位置を断面で示した説明図である。
【００８５】
第５の実施形態の包装箱５００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【００８６】
包装箱５００は、図１０のように、正面周壁板５０１、背面周壁板５０２、左側周壁板５０３、右側周壁板５０４からなる角筒状の周壁部が設けられ、左側周壁板５０３と右側周壁板５０４の上端にはそれぞれ、左側部内フラップ５０５と右側部内フラップ５０６が設けられている。
【００８７】
正面周壁板５０１の上端には天面板５０７が設けられ、天面板５０７の先端には更に差込片５０８が設けられている。背面周壁部５０２には、その上端を上方に延ばした延設部５０９が設けられていて、延設部５０９の先端で折り返されて折返し部５１０が設けられている。
【００８８】
また、折返し部５１０の先端部は延設部５０９より下に延びている。そして、重ねあわされた延設部５０９と折返し部５１０の同じ位置に貫通孔５１１が設けられていて、取っ手を形成している。
【００８９】
そして、左側部内フラップ５０５と右側部内フラップ５０６を内方に倒して、その上に天面板５０７を倒して、差込片５０８を背面周壁板５０２に沿って差し込む包装箱５００を閉めると、図１１のように、背面周壁板５０２が上方に延び、折り返されて折返し部５１０が設けられた包装箱５００となる。
【００９０】
包装箱５００は、左右の側部内フラップ５０５、５０６が、天面板５０７と重なり合い、また、差込片５０８と延設部５０９より下に延びている折返し部５１０の先端部が重なり合っている。
【００９１】
図１１（ａ）のように、この重なり合った左側部内フラップ５０５、あるいは、右側部内５０６と天面板５０７にそれぞれ、導電性物質１とＩＣタグ２を取り付ける。
【００９２】
あるいは、図１１（ｂ）のように、重なり合った差込片５０８と延設部５０９より下に延びている折返し部５１０の先端部にそれぞれ、導電性物質１とＩＣタグ２を取り付ける。尚、いずれの場合でも、導電性物質１とＣタグ２を設ける場所を逆にしてもかまわない。
【００９３】
このようにすると、包装箱５００を閉じているときは、ＩＣタグ２と導電性物質１が接触または近接している。尚、導電性物質１とＩＣタグ２は、第１の実施形態の包装箱１００と同様なものが使用できる。
【００９４】
このように、導電性物質１とＩＣタグ２が接触あるいは近接していると、リーダライタからの電波の受信性能が著しく低下し、電力が発生せずＩＣチップの情報処理が行われない。
【００９５】
本実施形態の包装箱５００では、以上のように閉じた状態では、ＩＣタグ２はリーダライタから発射される電波を受信することができないので、交信が行われない。そして、図
１０のように、内容物を取り出すために、差込片５０８を抜いて、天面板５０７を開き、左側部内フラップ５０５と右側部内５０６も開くと、いずれの位置に導電性物質１とＩＣタグ２を設けた場合でも、重なっていた導電性物質１とＩＣタグ２が離れる。
【００９６】
導電性物質１とＩＣタグ２とが離れると、リーダライタからの電波を受信してＩＣタグ２が通信を開始するようになり、リーダライタとの交信を行う。そして、包装箱５００を再封すると、図１１（ａ）あるいは図１１（ｂ）のように、導電性物質１とＩＣタグ２が重なり合わされ、接触または近接する。
【００９７】
このように閉じた状態では、ＩＣタグ２はリーダライタから発射される電波を受信することができないので、交信が行われない。このように、本実施形態の包装箱５００は、閉めた状態ではリーダライタとの交信が行われず、包装箱５００は、開けた状態ではリーダライタとの交信が行われる。
【００９８】
本実施形態の包装箱５００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【００９９】
これにより収納されていた、酸化により性能が大きく影響される物品や、人体に悪影響を与える物品などが開封され、影響を受けたり、与えたりした時刻とその時間、また、場所を知ることができ、管理することができる。
【０１００】
＜第６の実施形態＞
以下、本発明を実施するための第６の実施形態につき説明する。
図１２は、本発明の包装箱の第６の実施形態の開いた状態を模式的に斜視で示した説明図、図１３は、本発明の包装箱の第６の実施形態の閉じた状態を模式的に斜視で示した説明図である。
【０１０１】
第６の実施形態の包装箱６００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【０１０２】
包装箱６００は、図１２のように、正面周壁板６０１、背面周壁板６０２、左側周壁板６０３、右側周壁板６０４からなる角筒状の周壁部が設けられ、左側周壁板６０３と右側周壁板６０４の上端にはそれぞれ、左側部内フラップ６０５と右側部内フラップ６０６が設けられている。
【０１０３】
正面周壁板６０１の上端には天面板６０７が設けられ、天面板６０７の先端には更に正面貼着板６０８が設けられている。そして、正面貼着板６０８の内面には、導電性物質１が設けられ、正面周壁板６０１の外面にＩＣタグ２が設けられている。
【０１０４】
包装箱６００を閉じるには、左側部内フラップ６０５と右側部内フラップ６０６を内方に倒して、その上に天面板６０７を倒して正面貼着板６０８を正面周壁板６０１に貼着して、図１３のように、包装箱６００は閉じられる。
【０１０５】
貼着する貼着部６０９は、導電性物質１やＩＣタグ２を設けた部分より下方に設ける。そして、正面周壁板６０１から正面貼着板６０８を剥がして開封するため、取り扱い上で剥がれない範囲で小さく設ける。
【０１０６】
正面周壁板６０１から正面貼着板６０８を剥がしやすくするため、正面貼着板６０８の貼着部６０９の周りに半抜き加工や、破線状の切れ目、あるいはそれらを組み合わせた易切断線を設けることができる。
【０１０７】
このようにすると、易切断線から切れて、容易に正面周壁板６０１から正面貼着板６０８を剥がすことができる。また、正面周壁板６０１に正面貼着板６０８の易切断線で囲まれた部分が貼着されて残り、正面貼着板６０８にそれによる包装箱６００を閉じができるので、包装箱６００を閉じたときに、正面周壁板６０１に残された易切断線で囲まれた部分をこの孔に嵌め込んで、係止させることができる。
【０１０８】
係止する別の方法としては、正面周壁板６０１に貫通孔あるいは切れ込みを設けておいて、剥がした正面貼着板６０８の先端部分を差し込んで係止するようにしても良い。
【０１０９】
このようにすると、包装箱６００を閉じているときは、導電性物質１を設けた正面貼着板６０８と、ＩＣタグ２を設けた正面周壁板６０１が重なり合い、ＩＣタグ２と導電性物質１が接触または近接している。尚、導電性物質１とＩＣタグ２は、第１の実施形態の包装箱１００と同様なものが使用できる。
【０１１０】
このように、導電性物質１とＩＣタグ２が接触あるいは近接していると、リーダライタからの電波の受信性能が著しく低下し、電力が発生せずＩＣチップの情報処理が行われない。
【０１１１】
本実施形態の包装箱６００では、以上のように閉じた状態では、ＩＣタグ２はリーダライタから発射される電波を受信することができないので、交信が行われない。そして、図１２のように、内容物を取り出すために、正面貼着板６０８を正面周壁板６０１から剥がして、天面板６０７を開くと、重なっていた導電性物質１とＩＣタグ２が離れる。
【０１１２】
導電性物質１とＩＣタグ２とが離れると、リーダライタからの電波を受信してＩＣタグ２が通信を開始するようになり、リーダライタとの交信を行う。そして、図１３のように、包装箱６００を再封すると、導電性物質１とＩＣタグ２が重なり合わされ、接触または近接する。
【０１１３】
このように閉じた状態では、ＩＣタグ２はリーダライタから発射される電波を受信することができないので、交信が行われない。このように、本実施形態の包装箱６００は、閉めた状態ではリーダライタとの交信が行われず、包装箱６００は、開けた状態ではリーダライタとの交信が行われる。
【０１１４】
本実施形態の包装箱６００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【０１１５】
これにより収納されていた、酸化により性能が大きく影響される物品や、人体に悪影響を与える物品などが開封され、影響を受けたり、与えたりした時刻とその時間、また、場所を知ることができ、管理することができる。
【０１１６】
尚、本実施形態では、正面貼着板６０８に導電性物質１を設け、正面周壁板６０１にＩＣタグ２を設けたが、逆に、正面貼着板６０８にＩＣタグ２を設け、正面周壁板６０１に
導電性物質１を設けてもよい。
【０１１７】
＜第７の実施形態＞
以下、本発明を実施するための第７の実施形態につき説明する。
図１４は、本発明の包装箱の第７の実施形態の開いた状態を模式的に斜視で示した説明図、図１５は、本発明の包装箱の第７の実施形態の開いた状態を模式的に側面で示した説明図、図１６は、本発明の包装箱の第７の実施形態の閉じた状態を模式的に斜視で示した説明図、図１７は、本発明の包装箱の第７の実施形態の閉じた状態を模式的に断面で示した説明図である。
【０１１８】
第７の実施形態の包装箱７００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【０１１９】
包装箱７００は、図１４の斜視図、図１５の側面図のように、正面周壁板７０１、背面周壁板７０２、左側周壁板７０３、右側周壁板７０４からなる角筒状の周壁部が設けられ、左側周壁板７０３と右側周壁板７０４の上端にはそれぞれ、左係止片７０５と右係止片７０６が設けられている。
【０１２０】
正面周壁板７０１の上端には正面天面板７０７が設けられ、正面天面板７０７の先端には更に正面持ち手部７０８が設けられ、背面周壁板７０２の上端には背面天面板７０９が設けられ、背面天面板７０９の先端には更に背面持ち手部７１０が設けられている。
【０１２１】
左係止片７０５と右係止片７０６には、正面持ち手部７０８と背面持ち手部７１０を重ね合わせて係止するための係止部７１１と７１２が貫通孔で設けられている。そして、正面持ち手部７０８の内面にはＩＣタグ２が設けられ、背面持ち手部７１０の内面には導電性物質１が設けられている。
【０１２２】
包装箱７００を閉じるには、正面天面板７０７と背面天面板７０９を内側に倒し、正面持ち手部７０８と背面持ち手部７１０を折り返して重ね合わせ、垂直に立ち上がらせる。そして、左係止片７０５と右係止片７０６を内側に倒し、左係止片７０５と右係止片７０６の貫通孔からなる係止部７１１と７１２で、重なり合った正面持ち手部７０８と背面持ち手部７１０の上部両端部を係止する。
【０１２３】
このようにすると、包装箱７００は、図１６の斜視図、図１７の断面図のように閉じられる。このように、包装箱７００を閉じているときは、導電性物質１を設けた背面持ち手部７１０と、ＩＣタグ２を設けた正面持ち手部７０８が重なり合い、ＩＣタグ２と導電性物質１が接触または近接している。尚、導電性物質１とＩＣタグ２は、第１の実施形態の包装箱１００と同様なものが使用できる。
【０１２４】
このように、導電性物質１とＩＣタグ２が接触あるいは近接していると、リーダライタからの電波の受信性能が著しく低下し、電力が発生せずＩＣチップの情報処理が行われない。
【０１２５】
本実施形態の包装箱７００では、以上のように閉じた状態では、ＩＣタグ２はリーダライタから発射される電波を受信することができないので、交信が行われない。
【０１２６】
そして、図１４、図１５のように、内容物を取り出すために、左係止片７０５と右係止片７０６を重なり合った正面持ち手部７０８と背面持ち手部７１０から外して、正面持ち手部７０８および正面天面板７０７と、背面持ち手部７１０および背面天面板７０９を開
く。これにより、重なっていた導電性物質１とＩＣタグ２が離れる。
【０１２７】
導電性物質１とＩＣタグ２とが離れると、リーダライタからの電波を受信してＩＣタグ２が通信を開始するようになり、リーダライタとの交信を行う。そして、図１６、図１７のように、包装箱７００を再封すると、導電性物質１とＩＣタグ２が重なり合わされ、接触または近接する。
【０１２８】
このように閉じた状態では、ＩＣタグ２はリーダライタから発射される電波を受信することができないので、交信が行われない。このように、本実施形態の包装箱７００は、閉めた状態ではリーダライタとの交信が行われず、包装箱７００は、開けた状態ではリーダライタとの交信が行われる。
【０１２９】
本実施形態の包装箱７００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【０１３０】
これにより収納されていた、酸化により性能が大きく影響される物品や、人体に悪影響を与える物品などが開封され、影響を受けたり、与えたりした時刻とその時間、また、場所を知ることができ、管理することができる。
【０１３１】
＜第８の実施形態＞
以下、本発明を実施するための第７の実施形態につき説明する。
図１８は、本発明の包装箱の第８の実施形態の開いた状態を模式的に斜視で示した説明図、図１９は、本発明の包装箱の第８の実施形態の閉じた状態を模式的に斜視で示した説明図である。
【０１３２】
第８の実施形態の包装箱８００は、包装箱１００と同様に、板紙などの構造材からなり、罫押しと同時に打ち抜かれたブランクを製函して作られている。また、ブランクを作成の前、あるいは、作成後にＩＣタグや導電性物質を設けている。
【０１３３】
包装箱８００は、図１８のように、底面板８１０に対して垂直な、正面周壁板８０１、背面周壁板８０２、左側周壁板８０３、右側周壁板８０４からなる角筒状の周壁部が設けられている。
【０１３４】
背面周壁板８０２の上端には、ヒンジ部８２０を介して天面板８０５が設けられ、更に天面板８０５の反対側の端部に差込片８０６が連設されている。そして、差込片８０６の外面に導電性物質１が設けられ、正面周壁板８０１の内面側にＩＣタグ２が設けられている。
【０１３５】
包装箱８００を閉じるには、図１９のように、天面板８０５をヒンジ部８２０で内側に倒し、差込片８０６を正面周壁板８０１の内側に差し込んで閉じる。このように、包装箱８００を閉じているときは、導電性物質１を設けた差込片８０６と、ＩＣタグ２を設けた正面周壁板８０１が重なり合い、ＩＣタグ２と導電性物質１が接触または近接している。
【０１３６】
このように、導電性物質１とＩＣタグ２が接触あるいは近接していると、リーダライタからの電波の受信性能が著しく低下し、電力が発生せずＩＣチップの情報処理が行われない。尚、導電性物質１とＩＣタグ２は、第１の実施形態の包装箱１００と同様なものが使用できる。
【０１３７】
本実施形態の包装箱８００では、以上のように閉じた状態では、ＩＣタグ２はリーダライタから発射される電波を受信することができないので、交信が行われない。
【０１３８】
そして、図１８のように、内容物を取り出すために、差込片８０６を正面周壁板８０１の内側から抜き出し、ヒンジ部８２０を中心に天面板８０５を持ち上げるようにして回転させ包装箱８００を開くと、重なっていた導電性物質１とＩＣタグ２が離れる。
【０１３９】
導電性物質１とＩＣタグ２とが離れると、リーダライタからの電波を受信してＩＣタグ２が通信を開始するようになり、リーダライタとの交信を行う。そして、図１９のように、包装箱８００を再封すると、導電性物質１とＩＣタグ２が重なり合わされ、接触または近接する。
【０１４０】
このように閉じた状態では、ＩＣタグ２はリーダライタから発射される電波を受信することができないので、交信が行われない。このように、本実施形態の包装箱８００は、閉めた状態ではリーダライタとの交信が行われず、開けた状態ではリーダライタとの交信が行われる。
【０１４１】
本実施形態の包装箱８００の使い方としては、包装箱１００と同様に、工場で製品を製造するのに用いる原材料などを包装しておくのに用いることが出来る。そして、開封した時からＩＣタグ２が通信を開始し、閉じると通信がされなくなるので、この通信開始や、通信終了をリーダライタで受信し、開封時刻や再封時刻、それによる開封されていた時間、あるいは、開封された場所を知ることができる。
【０１４２】
これにより収納されていた、酸化により性能が大きく影響される物品や、人体に悪影響を与える物品などが開封され、影響を受けたり、与えたりした時刻とその時間、また、場所を知ることができ、管理することができる。
【０１４３】
尚、本実施形態では、差込片８０６に導電性物質１を設け、正面周壁板８０１にＩＣタグ２を設けたが、逆に、差込片８０６にＩＣタグ２を設け、正面周壁板８０１に導電性物質１を設けてもよい。
【符号の説明】
【０１４４】
１・・・導電性物質
２・・・ＩＣタグ
１００、２００、３００、４００、５００、６００、７００、８００・・・包装箱
１１０・・・外装部材
１２０・・・内装部材
１１１、２２１、３２１・・・上面板
１１２・・・下面板
２１１、１２１、３１１、８１０・・・底面板
１１３、４０３、５０３、６０３、７０３、８０３・・・左側周壁板
１１４、４０４、５０４、６０４、７０４、８０４・・・右側周壁板
１１５・・・背側周壁板
１２２、２１２、３１２、４０１、５０１、６０１、７０１、８０１・・・正面周壁板
１２３、２１３、３１３、４０２、５０２、６０２、７０２、８０２・・・背面周壁板
１２４、２１４、３１４・・・左周壁板
１２５、２１５、３１５・・・右周壁板
２１０、３１０・・・箱本体
２２０・・・蓋体
２２２、３２２・・・正面蓋周壁板
２２３・・・背面蓋周壁板
２２４、３２３・・・左側蓋周壁板
２２５、３２４・・・右側蓋周壁板
３３０、８２０・・・ヒンジ
３２０・・・蓋部
４０５・・・正面フラップ
４０６・・・背面フラップ
４０７、５０５、６０５・・・左側部内フラップ
４０８、５０６、６０６・・・右側部内フラップ
５０７、６０７、８０５・・・天面板
５０８、８０６・・・差込片
５０９・・・延設部
５１０・・・折返し部
５１１・・・貫通孔
６０８・・・正面貼着板
７０５・・・左係止片
７０６・・・右係止片
７０７・・・正面天面板
７０８・・・正面持ち手部
７０９・・・背面天面板
７１０・・・背面持ち手部
７１１、７１２・・・係止部
【図１】
2015101391.tif 000003
【図２】
2015101391.tif 000004
【図３】
2015101391.tif 000005
【図４】
2015101391.tif 000006
【図５】
2015101391.tif 000007
【図６】
2015101391.tif 000008
【図７】
2015101391.tif 000009
【図８】
2015101391.tif 000010
【図９】
2015101391.tif 000011
【図１０】
2015101391.tif 000012
【図１１】
2015101391.tif 000013
【図１２】
2015101391.tif 000014
【図１３】
2015101391.tif 000015
【図１４】
2015101391.tif 000016
【図１５】
2015101391.tif 000017
【図１６】
2015101391.tif 000018
【図１７】
2015101391.tif 000019
【図１８】
2015101391.tif 000020
【図１９】
2015101391.tif 000021